(57)【要約】【課題】操作性の向上を図り、かつ操作時のプライバシーを確保し得る縦型ブラインドの操作装置を提供する。【解決手段】ハンガーレール１内に多数のランナー２を移動可能に支持し、各ランナーからそれぞれスラットを回動可能に吊下支持し、多数のランナー２の中間に位置するリードランナー２ａを移送手段６で該ハンガーレールに沿って移動操作可能に支持し、リードランナーの移動にともなって該リードランナーの一方のランナー群を一定間隔を隔てて引き出すとともに、他方のランナー群をハンガーレールの端部に向かって順次押し戻し可能とし、リードランナー２ａとハンガーレールの一端との間に位置するランナー群に遮光性を備えた第一のスラット群４ａを吊下支持し、リードランナー２ａとハンガーレールの他端との間に位置するランナー群に透光性を備えた第二のスラット群４ｂを吊下支持し、ハンガーレールの一端に移送手段６を操作する操作部を備えた。【選択図】図１
2009270346.tif 000002
【特許請求の範囲】
【請求項１】
ハンガーレール内に多数のランナーを移動可能に支持し、前記各ランナーからそれぞれスラットを回動可能に吊下支持し、前記多数のランナーの中間に位置するリードランナーを移送手段で該ハンガーレールに沿って移動操作可能に支持し、前記リードランナーの移動にともなって該リードランナーの一方のランナー群を一定間隔を隔てて引き出すとともに、他方のランナー群を前記ハンガーレールの端部に向かって順次押し戻し可能とし、前記リードランナーとハンガーレールの一端との間に位置するランナー群に遮光性を備えた第一のスラット群を吊下支持し、前記リードランナーとハンガーレールの他端との間に位置するランナー群に透光性を備えた第二のスラット群を吊下支持し、前記ハンガーレールの一端に前記移送手段を操作する操作部を備えたことを特徴とする縦型ブラインドの操作装置。
【請求項２】
前記各ランナーにチルト軸を挿通し、前記各ランナーには前記チルト軸の回転にともなって前記各スラットを回動させるギヤ機構を備え、前記ハンガーレールの一端に前記チルト軸を回転操作するチルトバトンを吊下支持したことを特徴とする請求項１記載の縦型ブラインドの操作装置。
【請求項３】
前記ハンガーレールの他端側には、前記各ランナーを前記ハンガーレールに沿って移送可能とした第一のチルトポールランナーをハンガーレールに沿って移動可能に支持し、前記第一のチルトポールランナーには操作バトンを吊下支持したことを特徴とする請求項１又は２記載の縦型ブラインドの操作装置。
【請求項４】
前記ハンガーレールの一端には、前記チルトバトンの回転を前記チルト軸に伝達するギヤ機構を設け、前記第一のチルトポールランナーには前記操作バトンの回転を前記チルト軸に伝達するギヤ機構を設けたことを特徴とする請求項３記載の縦型ブラインドの操作装置。
【請求項５】
前記ハンガーレールの一端側には、前記各ランナーを前記ハンガーレールに沿って移送可能とした第二のチルトポールランナーをハンガーレールに沿って移動可能に支持し、前記第二のチルトポールランナーには操作バトンを吊下支持するとともに、該操作バトンの回転を前記チルト軸に伝達するギヤ機構を設けたことを特徴とする請求項３記載の縦型ブラインドの操作装置。
【請求項６】
前記移送手段は、前記ハンガーレール内を周回可能に支持された移送コードとし、前記移送コードの無端縁を前記ハンガーレールの一端から垂下して前記操作部としたことを特徴とする請求項１乃至５のいずれか１項に記載の縦型ブラインドの操作装置。
【発明の詳細な説明】
【技術分野】
【０００１】
この発明は、縦型ブラインドのスラットをハンガーレールに沿って移動させるスラット操作装置に関するものである。
【背景技術】
【０００２】
縦型ブラインドは、ハンガーレール内を移動可能に支持された多数のランナーからそれぞれスラットが角度調節可能に吊下支持され、各スラットをハンガーレールに沿って引き出し、かつ各スラットの角度を調節することにより、室内への採光量を適宜調節可能である。
【０００３】
このような縦型ブラインドの一種類として、先頭ランナーから操作棒を吊下支持し、その操作棒を操作して先頭ランナーをハンガーレールに沿って移動させることにより、各ランナーを追随させて、スラットの引き出し操作及び畳み込み操作を行い、かつ操作棒を回動操作することにより、各スラットを同位相で角度調節可能としたものがある。
【０００４】
このような縦型ブラインドでは、各ランナーがスペーサーで連結され、先頭ランナーを操作棒で移動させることにより、後続のランナーを追随して移動する。また、各ランナーにはチルト軸が挿通され、そのチルト軸の回転にともなってスラットを回動させるウォーム機構が内蔵される。そして、操作棒を回転操作することにより、先頭ランナーに取着されたギヤボックスを介してチルト軸を回転させ、そのチルト軸の回転により各スラットを同位相で回動させるようになっている。
【０００５】
また、ハンガーレールから吊下支持されるスラットを、遮光性の高い生地で形成した第一のスラット群と、光を透過させる生地で形成した第二のスラット群とで構成し、第一のスラット群で外光を遮断する状態と、第二のスラット群を介して外光を室内へ取り入れる状態とを選択可能とした縦型ブラインドも提案されている。
【０００６】
特許文献１には、ハンガーレールから光を透過させない第一のスラットと、光を透過させる第二のスラットとを吊下支持し、第一の操作コードの操作により第一のスラットの引き出し操作と畳み込み操作を可能とし、第二の操作コードの操作により第二のスラットの引き出し操作と畳み込み操作を可能とした縦型ブラインドが開示されている。このような縦型ブラインドでは、第一のスラットで外光を遮断する状態と、第二のスラットを介して外光を採り入れる状態とを選択可能である。
【０００７】
特許文献２には、ハンガーレールから光を透過させない第一のスラット群と、光を透過させる第二のスラット群とを吊下支持し、操作棒の操作により第一のスラット群の引き出し及び畳み込み操作と、第二のスラット群の引き出し及び畳み込み操作とを行うようにした縦型ブラインドが開示されている。このような縦型ブラインドでは、第一のスラット群で外光を遮断する状態と、第二のスラット群を介して外光を採り入れる状態とを選択可能である。
【特許文献１】特開２０００−２４０３７７号公報
【特許文献２】特開２００６−２８３５４４号公報
【発明の開示】
【発明が解決しようとする課題】
【０００８】
特許文献１に開示された縦型ブラインドでは、第一のスラットを引き出し操作する場合には、ハンガーレールの一端から垂下される第一の操作コードを操作し、第二のスラットを引き出し操作する場合にはハンガーレールの他端から垂下される第二の操作コードを操作する必要がある。
【０００９】
従って、第一のスラットあるいは第二のスラットの引き出し操作を行う場合には、ハンガーレールの一端側あるいは他端側へ移動して操作する必要があるため、その操作が煩雑である。
【００１０】
特許文献２に開示された縦型ブラインドでは、共通の操作棒の操作により第一のスラット群の引き出し操作及び畳み込み操作と、第二のスラット群の引き出し操作及び畳み込み操作が可能である。しかし、第一のスラット群及び第二のスラット群のいずれの操作においても、引き出し操作あるいは畳み込み操作を行うために操作棒をハンガーレールに沿って移動させる必要がある。従って、操作者が操作棒とともに移動しなければならないので、操作が煩雑であるとともに、操作者の移動が室外から見えるためプライバシーを確保できないという問題点がある。
【００１１】
この発明の目的は、操作性の向上を図り、かつ操作時のプライバシーを確保し得る縦型ブラインドの操作装置を提供することにある。
【課題を解決するための手段】
【００１２】
請求項１では、ハンガーレール内に多数のランナーを移動可能に支持し、前記各ランナーからそれぞれスラットを回動可能に吊下支持し、前記多数のランナーの中間に位置するリードランナーを移送手段で該ハンガーレールに沿って移動操作可能に支持し、前記リードランナーの移動にともなって該リードランナーの一方のランナー群を一定間隔を隔てて引き出すとともに、他方のランナー群を前記ハンガーレールの端部に向かって順次押し戻し可能とし、前記リードランナーとハンガーレールの一端との間に位置するランナー群に遮光性を備えた第一のスラット群を吊下支持し、前記リードランナーとハンガーレールの他端との間に位置するランナー群に透光性を備えた第二のスラット群を吊下支持し、前記ハンガーレールの一端に前記移送手段を操作する操作部を備えた。
【００１３】
請求項２では、前記各ランナーにチルト軸を挿通し、前記各ランナーには前記チルト軸の回転にともなって前記各スラットを回動させるギヤ機構を備え、前記ハンガーレールの一端に前記チルト軸を回転操作するチルトバトンを吊下支持した。
【００１４】
請求項３では、前記ハンガーレールの他端側には、前記各ランナーを前記ハンガーレールに沿って移送可能とした第一のチルトポールランナーをハンガーレールに沿って移動可能に支持し、前記第一のチルトポールランナーには操作バトンを吊下支持した。
【００１５】
請求項４では、前記ハンガーレールの一端には、前記チルトバトンの回転を前記チルト軸に伝達するギヤ機構を設け、前記第一のチルトポールランナーには前記操作バトンの回転を前記チルト軸に伝達するギヤ機構を設けた。
【００１６】
請求項５では、前記ハンガーレールの一端側には、前記各ランナーを前記ハンガーレールに沿って移送可能とした第二のチルトポールランナーをハンガーレールに沿って移動可能に支持し、前記第二のチルトポールランナーには操作バトンを吊下支持するとともに、該操作バトンの回転を前記チルト軸に伝達するギヤ機構を設けた。
【００１７】
請求項６では、前記移送手段は、前記ハンガーレール内を周回可能に支持された移送コードとし、前記移送コードの無端縁を前記ハンガーレールの一端から垂下して前記操作部とした。
【発明の効果】
【００１８】
本発明によれば、操作性の向上を図り、かつ操作時のプライバシーを確保し得る縦型ブラインドの操作装置を提供することができる。
【発明を実施するための最良の形態】
【００１９】
（第一の実施形態）
以下、この発明を具体化した縦型ブラインドの一実施形態を図面に従って説明する。図１に示す縦型ブラインドは、ハンガーレール１内に多数のランナー２が移動可能に支持され、各ランナー２に設けられるフック３から第一のスラット群４ａと第二のスラット群４ｂが吊下支持されている。
【００２０】
前記第一のスラット群４ａは、前記ハンガーレール１の一端側に位置するほぼ半数のランナー群から吊下支持されるスラットであり、遮光性を備えた生地で構成される。前記第二のスラット群４ｂは、前記ハンガーレール１の他端側に位置するほぼ半数のランナー群から吊下支持されるスラットであり、光を透過するレース生地で構成される。
【００２１】
前記ランナー２のうち中間に位置するランナーは、各ランナー２をハンガーレール１に沿って移送するリードランナー２ａとして動作する。このリードランナー２ａは、他のランナー２と同様なランナーに図３及び図４に示すランナーケース５を装着して構成され、そのリードランナー２ａから例えば第一のスラット群４ａを構成するスラットが吊下支持される。
【００２２】
前記ハンガーレール１内には移送コード（移送手段）６が周回可能に配設され、その移送コード６の両端部は、図２〜図４に示すように、前記リードランナー２ａに接続されている。また、移送コード６の一方の無端縁は前記ハンガーレール１の他端において支持ローラー７に支持され、他方の無端縁（操作部）はハンガーレール１の一端側から案内ローラー８を介して垂下されている。
【００２３】
従って、ハンガーレール１の一端から垂下される移送コード６を操作することにより、前記リードランナー２ａをハンガーレール１に沿って移動操作可能となっている。
前記ランナー２及びリードランナー２ａは、各ランナー２，２ａの最大離間距離を設定する公知のスペーサー１４を介して連結されている。そして、リードランナー２ａがハンガーレール１の一端側に移動すると、前記第二のスラット群４ｂを支持するランナー２が等間隔を隔てて順次引き出され、第一のスラット群４ａを支持するランナー２はリードランナー２ａによりハンガーレール１の一端側へ順次押し戻される。
【００２４】
また、リードランナー２ａがハンガーレール１の他端側に移動すると、前記第一のスラット群４ａを支持するランナー２が等間隔を隔てて順次引き出され、第二のスラット群４ｂを支持するランナー２はリードランナー２ａによりハンガーレール１の他端側へ順次押し戻される。
【００２５】
このような構成により、移送コード６の操作によりリードランナー２ａをハンガーレール１の他端側（図１において右方）へ移動させれば、ハンガーレール１に沿って第一のスラット群４ａが引き出されるとともに、第二のスラット群４ｂがハンガーレール１の他端側へ畳み込まれる。
【００２６】
また、リードランナー２ａをハンガーレール１の一端側（図１において左方）へ移動させれば、ハンガーレール１に沿って第二のスラット群４ｂが引き出されるとともに、第一のスラット群４ａがハンガーレール１の一端側へ畳み込まれる。
【００２７】
前記ハンガーレール１の他端側にはチルトポールランナー９が同ハンガーレール１に沿って移動可能に支持され、そのチルトポールランナー９から操作バトン１０が吊下支持されている。
【００２８】
また、前記チルトポールランナー９に最も近いランナー２と同チルトポールランナー９とは連結棹１１で連結されている。そして、操作バトン１０を操作してチルトポールランナー９をハンガーレール１の一端側へ移動させると、各ランナー２及びリードランナー２ａをハンガーレール１の一端側へ順次押し戻して移送可能となっている。
【００２９】
また、チルトポールランナー９をハンガーレール１の他端側へ移動させると、各ランナー２をハンガーレール１の他端側へ引き出し可能となっている。
前記各ランナー２，２ａには、３条のスプラインが刻設された公知のチルト軸１２が軸方向に相対移動可能に挿通され、そのチルト軸１２の両端は前記ハンガーレール１の両端に取着されるエンドキャップ１３ａ，１３ｂに回転可能に支持されている。前記各ランナー２，２ａ内には前記チルト軸１２の回転にともなって前記フック３を回動させるウォーム機構が内蔵され、チルト軸１２が回転されると、ウォーム機構を介して前記フック３が回動され、第一のスラット群４ａ及び第二のスラット群４ｂを構成するスラットが同位相で回動されるようになっている。
【００３０】
前記エンドキャップ１３ａ内には傘歯車で構成されるギヤ機構１５が配設されている。ギヤ機構１５の入力軸はエンドキャップ１３ａから下方へ露出され、その入力軸にチルトバトン１６が吊下支持されている。前記ギヤ機構１５の出力軸は前記チルト軸１２に連結されている。そして、前記チルトバトン１６の回転操作により、ギヤ機構１５を介して前記チルト軸１２が回転される。
【００３１】
また、前記チルトポールランナー９には傘歯車で構成されるギヤ機構１８が配設され、そのギヤ機構１８の出力軸に前記チルト軸１２が挿通されている。また、前記操作バトン１０はギヤ機構１８の入力軸から吊下支持されている。従って、操作バトン１０の回転操作によりギヤ機構１８を介してチルト軸１２が回転される。
【００３２】
図１に示すように、前記ハンガーレール１の他端側には前記リードランナー２ａのランナーケース５に係合するスナッププレート１７が取着されている。このスナッププレート１７は、弾性を有する金属板の基端部がハンガーレール１の上辺下面に固定され、先端部には下方に向かって凸となる係止部１７ａが形成されている。そして、リードランナー２ａがハンガーレール１の他端近傍まで移送されて、第二のスラット群４ｂがハンガーレール１の他端側に畳み込まれたとき、係止部１７ａがリードランナー２ａのランナーケース５に係合して、リードランナー２ａを当該位置に保持するようになっている。
【００３３】
また、移送コード６を操作してリードランナー２ａをハンガーレール１の一端側へ移動させれば、係止部１７ａとランナーケース５との係合が解除されるようになっている。
次に、上記のように構成された縦型ブラインドの動作を説明する。
【００３４】
図１は、移送コード６を操作してリードランナー２ａをハンガーレール１の他端側へ移動させた状態を示す。この状態ではハンガーレール１に沿って第一のスラット群４ａが引き出され、第二のスラット群４ｂがハンガーレール１の他端側に畳み込まれる。
【００３５】
この状態で、チルトバトン１６あるいは操作バトン１０の回転操作によりチルト軸１２を回転させると、第一及び第二のスラット群４ａ，４ｂが回動される。そして、第一のスラット群４ａをハンガーレール１に沿う方向に回動させると、全閉状態となって外光が遮られる。
【００３６】
また、図１に示す状態では、リードランナー２ａがスナッププレート１７に係合して、リードランナー２ａが第一のスラット群４ａを引き出した位置に保持される。
図５は、図１に示す状態から移送コード６を操作して、リーとランナー２ａとスナッププレート１７との係合を解除し、リードランナー２ａをハンガーレール１の中間位置まで移動させた状態を示す。この状態では、リードランナー２ａで第一のスラット群４ａの一部がハンガーレール１の一端側へ押戻されるとともに、第二のスラット群４ｂの一部がリードランナー２ａでハンガーレール１の他端側から引き出される。
【００３７】
そして、チルトバトン１６あるいは操作バトン１０の回転操作により、第一及び第二のスラット群４ａ，４ｂを全閉方向に回動すると、ハンガーレール１の中間部から一端側にかけては第一のスラット群４ａで遮光状態となり、ハンガーレール１の中間部から他端側にかけては第二のスラット群４ｂを介して外光を採り入れ可能な状態となる。
【００３８】
図５に示す状態から、リードランナー２ａをさらに移動させてハンガーレール１の一端側まで移動させると、図６に示すように、第二のスラット群４ｂが引き出され、第一のスラット群４ａはハンガーレール１の一端側に畳み込まれる。
【００３９】
そして、チルトバトン１６あるいは操作バトン１０の回転操作により、第一及び第二のスラット群４ａ，４ｂを全閉方向に回動すると、ほぼハンガーレール１の全長に亘って第二のスラット群４ｂを介して外光を採り入れ可能となる。
【００４０】
図６に示す状態から、操作バトン１０を操作して、チルトポールランナー９をハンガーレール１の一端側に移動させると、図７に示すように、第一及び第二のスラット群４ａ，４ｂがハンガーレール１の一端側に畳み込まれ、全開放状態となる。
【００４１】
また、図７に示す状態から移送コード６を操作してリードランナー２ａをハンガーレール１の他端側に移動させれば、第二のスラット群４ｂがリードランナー２ａでハンガーレール１他端側まで移送され、第一のスラット群４ａが引き出されて図１に示す状態に復帰する。
【００４２】
上記のように構成された縦型ブラインドでは、次に示す作用効果を得ることができる。
（１）ハンガーレール１の一端側に垂下される移送コード６の操作により、リードランナー２ａを移動させて、第一及び第二のスラット群４ａ，４ｂをハンガーレール１に沿って連動して移送することができる。そして、第一のスラット群４ａで外光を遮る状態と、第二のスラット群４ｂでレース生地を介して外光を採り入れる状態とを選択することができる。従って、共通の移送コード６の操作により、第一及び第二のスラット群４ａ，４ｂの移送操作を容易にかつ迅速に行うことができる。
（２）ハンガーレール１の一端側に移送コード６を吊下支持するとともに、ハンガーレール１の一端側に遮光性を備えた第一のスラット群４ａを畳み込むようにしたので、移送コード６を操作する操作者は、常に第一のスラット群４ａに隠れる位置で移送コード６を操作することができる。従って、第一のスラット群４ａあるいは第二のスラット群４ｂをハンガーレール１に沿って引き出すとき、室外への操作者の露出を防止して、プライバシーを確保することができる。
（３）第一及び第二のスラット群４ａ，４ｂの角度調節操作は、ハンガーレール１の一端側に垂下されるチルトバトン１６と、ハンガーレール１の他端側に垂下される操作バトン１０のいずれでも行うことができる。
（４）操作バトン１０を操作して、チルトポールランナー９をハンガーレール１の一端側へ移動させることにより、第二のスラット群４ｂをハンガーレール１の一端側へ畳み込んで全開放状態とすることができる。
（第二の実施形態）
図８〜図１２は、第二の実施形態を示す。前記第一の実施形態と同一構成部分は同一符号を付して説明する。
【００４３】
この実施の形態は、ハンガーレール１の一端側に第一の実施形態と同様なチルトポールランナー１９を配設し、そのチルトポールランナー１９から操作バトン２０を垂下したものである。前記チルトポールランナー１９と、同チルトポールランナーに隣り合うランナー２とは連結棹２１で連結されている。また、移送コード６でリードランナー２ａを移動させる構成は、第一の実施形態と同様である。
【００４４】
このように構成された縦型ブラインドでは、図８に示すように、移送コード６を操作してリードランナー２ａをハンガーレール１の他端側へ移動させた状態では、第一のスラット群４ａで外光を遮断可能である。
【００４５】
また、図８に示す状態から図９に示すようにリードランナー２ａをハンガーレール１の中間部まで移動させた状態では、ハンガーレール１の中間部から一端側の範囲で第一のスラット群４ａで外光を遮断可能であり、ハンガーレール１の中間部から他端側の範囲で第二のスラット群４ｂを介して外光を採り入れ可能である。
【００４６】
また、図９に示す状態から図１０に示すようにリードランナー２ａをハンガーレール１の一端側へ移動させると、ハンガーレール１のほぼ全長に亘って吊下支持される第二のスラット群４ｂを介して外光を採り入れ可能となる。このような動作は、前記第一の実施形態と同様である。
【００４７】
図１１に示すように、操作バトン２０を操作して、チルトポールランナー１９をハンガーレール１の他端側へ移動させれば、第一及び第二のスラット群４ａ，４ｂをハンガーレール１の他端側へ移動させた全開放状態となる。
【００４８】
また、図１２に示すように、操作バトン１０を操作して、チルトポールランナー９をハンガーレール１の一端側へ移動させれば、第一及び第二のスラット群４ａ，４ｂをハンガーレール１の一端側へ移動させた全開放状態となる。
【００４９】
従って、この実施形態では、第一の実施形態で得られた作用効果に加えて、第一及び第二のスラット群４ａ，４ｂを畳み込んで全開放状態とするとき、第一及び第二のスラット群４ａ，４ｂをハンガーレール１の一端側あるいは一端側のいずれの方向にも畳み込むことができる。
【００５０】
また、この縦型ブラインドを間仕切りとして使用する場合には、ハンガーレール１の一端側を一部開口して出入りすることと、ハンガーレール１の他端側を一部開口して出入りすることのいずれも選択可能であるので、ハンガーレール１の設置方向の自由度を向上させることができる。
【００５１】
上記実施の形態は、以下の態様で実施してもよい。
・チルトポールランナー９にはギヤ機構１５を配設せず、操作バトン１０では第一及び第二のスラット群４ａ，４ｂの移送操作のみを行うようにしてもよい。
・操作コードに代えて、前記ハンガーレール内に回転可能に支持された移送軸の外周面に螺旋溝を形成し、該螺旋溝をリードランナー２ａに係合させ、移送軸の回転に伴ってリードランナーを移送可能とし、移送軸を回転駆動する操作コードをハンガーレールの一端に垂下する構成としてもよい。
【図面の簡単な説明】
【００５２】
【図１】第一の実施形態の縦型ブラインドを示す正面図である。
【図２】リードランナーを示す正面図である。
【図３】ランナーケースを示す正面図である。
【図４】ランナーケースを示す底面図である。
【図５】第一の実施形態の縦型ブラインドの動作を示す正面図である。
【図６】第一の実施形態の縦型ブラインドの動作を示す正面図である。
【図７】第一の実施形態の縦型ブラインドの動作を示す正面図である。
【図８】第二の実施形態の縦型ブラインドを示す正面図である。
【図９】第二の実施形態の縦型ブラインドの動作を示す正面図である。
【図１０】第二の実施形態の縦型ブラインドの動作を示す正面図である。
【図１１】第二の実施形態の縦型ブラインドの動作を示す正面図である。
【図１２】第二の実施形態の縦型ブラインドの動作を示す正面図である。
【符号の説明】
【００５３】
１…ハンガーレール、２…ランナー、２ａ…リードランナー、４ａ…第一のスラット群、４ｂ…第二のスラット群、６…移送手段（移送コード）、９…第一のチルトポールランナー、１０，２０…操作バトン、１２…チルト軸、１５，１８…ギヤ機構、１９…チルトポールランナー。
【図１】
2009270346.tif 000003
【図２】
2009270346.tif 000004
【図３】
2009270346.tif 000005
【図４】
2009270346.tif 000006
【図５】
2009270346.tif 000007
【図６】
2009270346.tif 000008
【図７】
2009270346.tif 000009
【図８】
2009270346.tif 000010
【図９】
2009270346.tif 000011
【図１０】
2009270346.tif 000012
【図１１】
2009270346.tif 000013
【図１２】
2009270346.tif 000014